(57)【要約】【課題】  本発明は、表示画像が縦長か横長かに応じて表示部の向きを変えた場合でも、操作部の向きは変わらないように構成することにより、操作性を向上した携帯型表示装置を提供する。【解決手段】  携帯型表示装置であって、矩形形状の液晶パネル２（表示部）を備えた表示部材１と、前記液晶パネル２（表示部）の操作を行なう操作部３を備えた本体部材４とを有し、前記表示部材１は、前記操作部３に対する前記液晶パネル２（表示部）の向きが変わるように前記本体部材４に回転可能に設けられていることを特徴とする。【選択図】  図４
2005189760.tif 000002
【特許請求の範囲】
【請求項１】
矩形形状の表示部を備えた表示部材と、
前記表示部の操作を行なう操作部を備えた本体部材とを有し、
前記表示部材は、前記操作部に対する前記表示部の向きが変わるように前記本体部材に回転可能に設けられていることを特徴とする携帯型表示装置。
【請求項２】
前記表示部材は、前記表示部材の一側面と前記操作部の一側面が対向するように設けられていることを特徴とする請求項１に記載の携帯型表示装置。
【請求項３】
前記表示部材の前記一側面側端部は、円弧状に形成された円弧状端部として構成され、
前記操作部の前記一側面側端部は、前記円弧状端部の円弧に沿った形状に形成されていることを特徴とする請求項２に記載の携帯型表示装置。
【請求項４】
前記円弧状端部の円弧は、該円弧の曲率中心が前記表示部材の回転軸となるように形成されていることを特徴とする請求項３に記載の携帯型表示装置。
【請求項５】
前記表示部材は、前記円弧状端部が前記操作部に対向する第１位置から、前記表示部の向きが９０度変わる第２位置に回転し、
前記表示部材が前記第２位置に回転したときに露出する前記本体部材の露出部に、前記第２位置における前記表示部の操作に関連する操作手段を設けたことを特徴とする請求項３または４に記載の携帯型表示装置。
【請求項６】
前記表示部材の前記円弧状端部側に、前記表示部の短辺が位置することを特徴とする請求項３乃至５のいずれかに記載の携帯型表示装置。
【請求項７】
前記操作手段は、数値を入力する数値入力手段であることを特徴とする請求項５または６に記載の携帯型表示装置。
【請求項８】
前記本体部材は、撮像手段を有していることを特徴とする請求項１乃至７のいずれかに記載の携帯型表示装置。
【発明の詳細な説明】
【技術分野】
【０００１】
本発明は、例えば、テレビ放送、電子ブック等の画像や文字を表示するために用いることができる携帯型表示装置に関する。
【背景技術】
【０００２】
近年、家庭内にあるテレビやＤＶＤ、ＶＴＲ等のＡＶ機器の画像を離れた場所で視聴したり、記録媒体に記録されたデジタルカメラやムービーカメラで撮像された静止画像や動画像、電子ブックの小説、漫画等を見たり、または、インターネットと接続してＷＥＢ画面を見たりすること等ができる携帯型表示装置が開発されている。ところで、テレビ、映画等の画像は横長であるのに対して、電子ブックやＷＥＢ画面等のコンテンツは縦長の画面として構成されている場合が少なくない。従って、図７に示すように、横長の表示部２０を有した携帯型表示装置２１では、テレビや映画等の横長の画像を見るのに適しているが、電子ブック等の縦長の画像は、図８に示すように、全ての画像を表示することができずに非常に見にくいものとなる。
そこで、表示される画像が縦長か横長かに応じて、ユーザーが携帯型電子読書装置の向きを縦か横に変えるだけで、自動的に装置の向きに合わせて画像を表示する装置が提案されている（特許文献１）。
【特許文献１】特開平８−１２９５５７号公報
【発明の開示】
【発明が解決しようとする課題】
【０００３】
しかしながら、特許文献１に記載の装置は、装置全体を縦か横に向きを変えるため、画面を操作するための各操作キーの向きも変わってしまうことになる。なお、特許文献１では、表示画像を上下左右にスクロールするスクロールキーは、装置の向きに応じて上下と左右の機能を交替するように構成して、スクロールキーの操作方向と画像の移動方向が一致するようにしている。しかし、このような装置には、種々のキーが配置され、各キーの操作内容や操作方向を示すための文字や記号が各キー自体または各キーの近傍に記載されている。従って、装置全体の向きを変えてしまうと、各キーの文字や記号の向きも変わってしまうため、非常に操作しずらいものとなってしまう。また、各キーは所定方向からの操作がし易いように配置されているため、文字や記号を何とか認識できたとしても、異なった方向からでは操作性が著しく劣ってしまう。
本発明は、このような問題点に鑑みなされたものであり、表示画像が縦長か横長かに応じて表示部の向きを変えた場合でも、操作部の向きは変わらないように構成することにより、操作性を向上した携帯型表示装置を提供するものである。
【課題を解決するための手段】
【０００４】
本発明の携帯型表示装置は、矩形形状の表示部を備えた表示部材と、前記表示部の操作を行なう操作部を備えた本体部材とを有し、前記表示部材は、前記操作部に対する前記表示部の向きが変わるように前記本体部材に回転可能に設けられていることを特徴とする。
前記表示部材は、前記表示部材の一側面と前記操作部の一側面が対向するように設けられていることを特徴とする。
前記表示部材の前記一側面側端部は、円弧状に形成された円弧状端部として構成され、前記操作部の前記一側面側端部は、前記円弧状端部の円弧に沿った形状に形成されていることを特徴とする。
前記円弧状端部の円弧は、該円弧の曲率中心が前記表示部材の回転軸となるように形成されていることを特徴とする。
前記表示部材は、前記円弧状端部が前記操作部に対向する第１位置から、前記表示部の向きが９０度変わる第２位置に回転し、前記表示部材が前記第２位置に回転したときに露出する前記本体部材の露出部に、前記第２位置における前記表示部の操作に関連する操作手段を設けたことを特徴とする。
前記表示部材の前記円弧状端部側に、前記表示部の短辺が位置することを特徴とする。
前記操作手段は、数値を入力する数値入力手段であることを特徴とする。
前記本体部材は、撮像手段を有していることを特徴とする。
【発明の効果】
【０００５】
本発明は、表示画像が縦長か横長かに応じて表示部の向きを変えた場合でも、操作部の向きは変わらないように構成することにより、操作性を向上した携帯型表示装置を提供することができる。
【発明を実施するための最良の形態】
【０００６】
次に、本発明の内容を詳細に説明するが、本発明はこれら実施の形態に何ら限定されるものではない。
【０００７】
図１は本発明の実施の形態にかかる携帯型表示装置の正面図で、図２は図１の携帯型表示装置を下方から見た底面図である。表示部材１には、液晶パネル２等の表示部、液晶パネル２に表示される音量バー（不図示）等を操作することができるタッチセンサ６が設けられている。操作部３には、電源キー７、液晶パネル２に各種メニュー等を表示させる画面操作キー８、各メニューの選択、決定等を行なうジョイスティック等で構成されたメニュー操作キー９、選局やコンテンツ選択を行なう選局キー１０、ＤＶＤやＶＴＲ等他のＡＶ機器の再生、早送り等の遠隔操作を行なうＡＶ操作キー１１等が設けられている。
図２に示すように、操作部３は本体部材４と一体的に構成されており、表示部材１は、回転軸１４を中心に回転できるように、回転支持部５を介して本体部材４に取り付けられている。
【０００８】
まず、本発明にかかる携帯型表示装置の用途について説明する。
例えば、家庭内にあるテレビ、ＤＶＤ等の操作や、画像、音声の受信を行なうことができる無線装置を内蔵または装着できる構成にすれば、離れた場所からテレビやＤＶＤ等を操作して、画像、音声を視聴することができるようになる。また、電子ブックが記録されている記録媒体を挿入できる構成にすれば、電子ブックの内容を液晶パネル２に表示して本を読むことができるようになる。また、インターネットと接続できるカード型通信装置を挿入できる構成にすれば、ＷＥＢ画面を閲覧したり、電子メールの送受信等を行なうことができるようになる。
このように、本発明にかかる携帯型表示装置は、様々な用途に適用が可能なものである。
【０００９】
次に、本発明の携帯型表示装置の詳細について説明する。
図１は、操作部３に対して液晶パネル２が横長になる位置に、表示部材１があるときの状態を示す図である（第１位置）。通常は、第１位置の状態で保管されたり、持ち運びされたりすることになる。表示部材１の操作部３側の端部は、表示部材１の回転軸１４を曲率中心とする円弧の形状に形成された円弧状端部１２となっている。円弧状端部１２と対向する操作部３の端部１３は、円弧状端部１２の形状に沿った円弧状の形状に構成されている。また、表示部材１と操作部３は、図２に示すように、円弧状端部１２の側面と端部１３の側面が対向するように構成されている。
このように端部を円弧状に構成することにより、表示部材１が回転する構造であるにもかかわらず、表示部材１と操作部３を近接配置することができ、また両者の表面に段差が出ないように同一平面上に配置することも可能となる。従って、無駄なスペースがなく、構成を簡素化、小型化することができ、デザイン的にも優れ、携帯性にも優れたものとなる。
なお、円弧状端部１２および端部１３は、円弧状に限定されるものではなく、少なくとも表示部材１を回転できる構成であればよい。
【００１０】
テレビ、ＤＶＤ等の横長の画像を見る場合は、図１の第１位置の状態、すなわち液晶パネル２が横長の状態で見ることができる。操作部３の各操作キーの文字、記号の向きや各操作キーの配置は、図１の第１位置の状態で操作することを基準として構成されているので、操作もしやすいものである。
【００１１】
一方、電子ブックやＷＥＢ画面等の縦長の画像を見る場合は、図１の第１位置の状態では見づらいため、表示部材１を９０度回転させて図４の第２位置の状態にする。図３は、表示部材１を、第１位置から第２位置へ回転させている途中の状態を示す図である。図５は、図４の携帯型表示装置を下方から見た底面図である。
図４の第２位置の状態では、表示部材１を回転させたにもかかわらず、操作部３は回転していないので、操作部３の各操作キーは第１位置と同じ状態で操作することができる。従って、第２位置では縦長の画像が見やすくなるのに加えて、操作も横長の画面のときと同様に操作ができるので、操作性も非常に優れているものである。
【００１２】
また、液晶パネル２に表示されるメニュー等の操作用表示は、図１の第１位置の状態では横長の画面に合わせた向きの表示を行い、図４の第２位置では縦長の画面に合わせた向きの表示を行なうように構成されている。従って、第１位置および第２位置にかかわらず、メニュー等の操作用表示についても、操作部３の操作方向と同じ方向から確認することができ、操作性に優れているものである。
このような操作用表示の表示方向の切換えは、本体部材４に対する表示部材１の位置を検出するためのスイッチを設けて、該スイッチの出力に基づいて制御することができる。スイッチとしては、例えば、回転支持部５を含む回転機構部、表示部材１と本体部材４の対向する面等に、表示部材１の回転位置（第１位置および第２位置）や回転範囲に応じて作動するスイッチを設けることができる。
【００１３】
さらに、本発明の携帯型表示装置は以下の構成を有する。
図４および図５に示すように、表示部材１を、図４の第２位置の状態に回転させたとき、図１の第１位置の状態では表示部材１に覆われ隠れているが、図４の第２位置の状態になると表示部材１から露出する露出部１５が本体部材４に存在する。本発明では、この露出部１５に着目して、操作キー１６が露出部１５に設けられている構成となっている。この操作キー１６は、縦長の画像を見るときに使用する操作キーとなる。操作キー１６としては、例えば、電子ブックの頁数を入力するための数値入力キーや、ＷＥＢ画面に文字や数字を入力するための文字入力キー等、適宜必要な操作キーを設けることができる。
この構成により、操作キー１６のためのスペースを新たに設けることなく、多数の操作キーを設けることが可能になり、小型化に寄与するものである。また、図１の第１位置の状態では不必要な操作キー１６は、第１位置では表示部材１により覆われ隠れる構成であるので、第１位置の状態のときに操作キーの数が増えて、必要な操作キーを捜すのに手間がかかったり、誤操作をしてしまうといった不具合も解消することができるものである。
【００１４】
さらに、本発明の携帯型表示装置は、本体部材４に撮像手段を設けることにより、デジタルカメラとしても利用することができる。図６は、図１に示した携帯型表示装置に、撮像手段１７およびシャッタボタン１８を設け、上方から見た上面図である。図６では、撮像手段１７は本体部材４に、シャッタボタン１８は操作部３に設けられている。
撮像手段１７からの映像を液晶パネル２で見ながら撮影する際、写真を横長で撮影したい場合は、図１の第１位置の状態で撮影することができる。また、写真を縦長で撮影したい場合は、表示部材１を回転させて図４の第２位置の状態にして撮影をすることができる。従って、第１位置と第２位置では、操作部３に設けられているシャッタボタン１８の位置も変わることはないので、操作性に優れ、自然な状態で縦長の写真の撮影も行なうことができるものである。
なお、撮像手段１７およびシャッタボタン１８の設けられる場所は、図６の場所に限定されるものではなく、適所に設けることができる。
【図面の簡単な説明】
【００１５】
【図１】本発明の実施の形態にかかる携帯型表示装置の正面図。
【図２】図１の携帯型表示装置の底面図。
【図３】図１の携帯型表示装置において表示部材を回転している途中の状態を示す正面図。
【図４】図１の携帯型表示装置において表示部材を９０度回転させた状態を示す正面図。
【図５】図４の携帯型表示装置の底面図。
【図６】本発明の他の実施の形態にかかる携帯型表示装置の上面図。
【図７】従来の携帯型表示装置を示す図。
【図８】従来の携帯型表示装置を示す図。
【符号の説明】
【００１６】
１      表示部材
２      液晶パネル（表示部）
３      操作部
４      本体部材
５      回転支持部
６      タッチセンサ
７      電源キー
８      画面操作キー
９      メニュー操作キー
１０    選局キー
１１    ＡＶ操作キー
１２    円弧状端部
１３    操作部の端部
１４    回転軸
１５    露出部
１６    操作キー（操作手段）
１７    撮像手段
１８    シャッタボタン
２０    表示部
２１    従来の携帯型表示装置
【図１】
2005189760.tif 000003
【図２】
2005189760.tif 000004
【図３】
2005189760.tif 000005
【図４】
2005189760.tif 000006
【図５】
2005189760.tif 000007
【図６】
2005189760.tif 000008
【図７】
2005189760.tif 000009
【図８】
2005189760.tif 000010